(57)【要約】【課題】光ディスク装置において、タイムサーチ時間の箇所を正確にサーチすることができ、品質の向上を図る。【解決手段】制御部は、ＶＴＳ＿ＴＭＡＰＴとＴＭＵを読み込むデータ読み込み手段と、タイムサーチ時間と読み込んだデータとに基いて、光ピックアップの移動先アドレスを算出する１次サーチアドレス算出手段と、セル時間とＶＯＢＵ時間と、ＶＯＢＵの再生時間とを読み取るＶＯＢＵ読み込み手段と、タイムサーチ時間がＶＯＢＵ再生時間帯に属するかを判断するＶＯＢＵ判断手段と、属さないときには、ＶＯＢＵ＿ＳＲＩに基き、移動先のアドレスを算出する２次サーチアドレス算出手段と、光ピックアップ移動手段とを備える。これにより、タイムサーチ時間がＶＯＢＵ再生時間帯に属するかを判断することになり、タイムサーチ時間が属するＶＯＢＵをサーチすることができる。このため、光ピックアップをタイムサーチ時間に正確に移動させることができる。【選択図】図５
2008108372.tif 000002
【特許請求の範囲】
【請求項１】
ＤＶＤ−ＶＩＤＥＯの光ディスクに対してレーザ光を照射してデータの記録／再生を行う光ピックアップと、前記光ピックアップを駆動するレーザ変調信号を出力するレーザ駆動部と、前記光ピックアップのトラッキングサーボ及びフォーカスサーボを行なうサーボ制御部と、プログラムを格納したメモリ部と、前記メモリ部のプログラムに基いて上記各部を制御する制御部と、を備えた光ディスク装置において、
前記制御部は、
光ディスクから前記ＶＴＳ＿ＴＭＡＰＴ（Ｖｉｄｅｏ  Ｔｉｔｌｅ  Ｓｅｔ  Ｔｉｍｅ  Ｍａｐ  Ｔａｂｌｅ）を読み込むと共に、該ＶＴＳ＿ＴＭＡＰＴからＴＭＵ（Ｔｉｍｅ  Ｕｎｉｔ）を読み込むデータ読み込み手段と、
ユーザが指定したタイムサーチ時間と前記データ読み込み手段より読み込まれたＶＴＳ＿ＴＭＡＰＴ及びＴＭＵとに基いて、光ピックアップの移動先のＶＯＢＵ（Ｖｉｄｅｏ  Ｏｂｊｅｃｔ  Ｕｎｉｔ）のアドレスを算出する１次サーチアドレス算出手段と、
前記１次サーチアドレス算出手段により算出されたＶＯＢＵのアドレスの属するセルに光ピックアップを移動させ、該セルに記録されている、ビデオタイトルの先頭から該セルの先頭までのセル時間を読み取ると共に、該ＶＯＢＵのアドレスに光ピックアップを移動させ、該ＶＯＢＵが有するＮａｖｉ  Ｐａｃｋに記録されている、該セルの先頭から該ＶＯＢＵまでのＶＯＢＵ時間と、該ＶＯＢＵの再生時間とを読み取るＶＯＢＵ読み込み手段と、
前記ＶＯＢＵ読み込み手段により読み込んだ、前記セル時間とＶＯＢＵ時間とＶＯＢＵの再生時間とに基いて、ビデオタイトルの先頭からのＶＯＢＵ再生開始時間と、ビデオタイトルの先頭からのＶＯＢＵ再生終了時間とを算出し、前記ＶＯＢＵ再生開始時間とＶＯＢＵ再生終了時間との間のＶＯＢＵ再生時間帯と前記タイムサーチ時間とを比較するタイムサーチ時間比較手段と、
前記タイムサーチ時間比較手段により、前記タイムサーチ時間が該ＶＯＢＵ再生時間帯に属するか否かを判断するＶＯＢＵ判断手段と、
前記ＶＯＢＵ判断手段により、前記タイムサーチ時間が前記ＶＯＢＵ再生時間帯に属さないと判断されたときには、前記Ｎａｖｉ  Ｐａｃｋが有するＶＯＢＵ＿ＳＲＩ（Ｖｉｄｅｏ  Ｏｂｊｅｃｔ  Ｕｎｉｔ  Ｓｅａｒｃｈ  Ｉｎｆｏｍａｔｉｏｎ）に基き、前記光ピックアップの移動先のＶＯＢＵのアドレスを再度算出する２次サーチアドレス算出手段と、
前記２次サーチアドレス算出手段により算出されたＶＯＢＵアドレスに前記光ピックアップを移動させる光ピックアップ移動手段と、を備え、
前記タイムサーチ時間が属する再生時間帯を有するＶＯＢＵをサーチすることにより、光ピックアップを該タイムサーチ時間に正確に移動させるようにしたことを特徴とする光ディスク装置。
【請求項２】
ＤＶＤ−ＶＩＤＥＯの光ディスクに対してレーザ光を照射してデータの記録／再生を行う光ピックアップと、前記光ピックアップを駆動するレーザ変調信号を出力するレーザ駆動部と、前記光ピックアップのトラッキングサーボ及びフォーカスサーボを行なうサーボ制御部と、プログラムを格納したメモリ部と、前記メモリ部のプログラムに基いて上記各部を制御する制御部と、を備えた光ディスク装置において、
前記制御部は、
ユーザが指定したタイムサーチ時間と、光ディスクのＶＯＢＵ（Ｖｉｄｅｏ  Ｏｂｊｅｃｔ  Ｕｎｉｔ）のＮａｖｉ  Ｐａｃｋが有するＶＯＢＵ＿ＳＲＩ（Ｖｉｄｅｏ  Ｏｂｊｅｃｔ  Ｕｎｉｔ  Ｓｅａｒｃｈ  Ｉｎｆｏｍａｔｉｏｎ）に基き、前記光ピックアップの移動先のＶＯＢＵのアドレスを算出するサーチアドレス算出手段と、
前記サーチアドレス算出手段により算出されたＶＯＢＵのアドレスの属するセルに光ピックアップを移動させ、該セルに記録されている、ビデオタイトルの先頭から該セルの先頭までのセル時間を読み取ると共に、該ＶＯＢＵのアドレスに光ピックアップを移動させ、該ＶＯＢＵが有するＮａｖｉ  Ｐａｃｋに記録されている、該セルの先頭から該ＶＯＢＵまでのＶＯＢＵ時間と、該ＶＯＢＵの再生時間とを読み取るＶＯＢＵ読み込み手段と、
前記ＶＯＢＵ読み込み手段により読み込んだ、前記セル時間とＶＯＢＵ時間とＶＯＢＵの再生時間とに基いて、ビデオタイトルの先頭からのＶＯＢＵ再生開始時間と、ビデオタイトルの先頭からＶＯＢＵ再生終了時間とを算出し、前記ＶＯＢＵ再生開始時間とＶＯＢＵ再生終了時間との間のＶＯＢＵ再生時間帯と前記タイムサーチ時間とを比較するタイムサーチ時間比較手段と、
前記タイムサーチ時間比較手段により、前記タイムサーチ時間が該ＶＯＢＵ再生時間帯に属するか否かを判断するＶＯＢＵ判断手段と、を備え
前記タイムサーチ時間が属する再生時間帯を有するＶＯＢＵをサーチすることにより、光ピックアップを該タイムサーチ時間に正確に移動させるようにしたことを特徴とする光ディスク装置。
【請求項３】
前記サーチアドレス算出手段は、タイムサーチがスタートして最初に行なう光ピックアップの移動先のＶＯＢＵのアドレスの算出において、ユーザが指定したタイムサーチ時間とビデオタイトルの先頭のＶＯＢＵの有するＶＯＢＵ＿ＳＲＩに基いて行なうことを特徴とする請求項２に記載の光ディスク装置。
【発明の詳細な説明】
【技術分野】
【０００１】
本発明は、光ディスク装置に関し、特に再生時のタイムサーチに関する。
【背景技術】
【０００２】
ＤＶＤ＿ＶＩＤＥＯの光ディスクには、記録／再生の操作のために、光ディスク毎に決められたＴＭＵ（Ｔｉｍｅ  Ｕｎｉｔ）の間隔で、ビデオタイトルの先頭からＭＡＰ＿ＥＮ（ＭＡＰ  ＥＮＴＲＹ）番号が順に記されている。再生を行なう箇所のビデオタイトルの先頭からの時間（以下、タイムサーチ時間という）が入力されると、光ディスクのＶＴＳ＿ＴＭＡＰＴ（Ｖｉｄｅｏ  Ｔｉｔｌｅ  Ｓｅｔ  Ｔｉｍｅ  Ｍａｐ  Ｔａｂｌｅ）に記されているＴＭＵからタイムサーチ時間に近いＭＡＰ＿ＥＮ番号を算出し、ＭＡＰ＿ＥＮ番号に該当するＶＯＢＵ（Ｖｉｄｅｏ  Ｏｂｊｅｃｔ  Ｕｎｉｔ）のアドレスをＶＴＳ＿ＴＭＡＰＴから読み出し、そのアドレスに光ピックアップを移動させて、再生を行なう。例えば、ＴＭＵが２秒で、タイムサーチ時間が５秒とすると、５÷２＝２．５でＭＡＰ＿ＥＮ番号が２となり、ＭＡＰ＿ＥＮ番号２に該当するＶＯＢＵのアドレスをＶＴＳ＿ＴＭＡＰＴから読み出し、そのアドレスに光ピックアップが移動し、再生が行なわれる。しかし、ＴＭＵの間隔でタイムサーチが行なわれるために、タイムサーチ時間と再生を開始する箇所との間で、ズレが発生する。
【０００３】
また、再生を行なっている箇所を基準として、前後の指定された時間にタイムサーチを行なう光ディスク装置が知られている（例えば、特許文献１）。また、データの圧縮方式に拘わらずに指定された時間にタイムサーチする光ディスク装置が知られている（例えば、特許文献２）。
【０００４】
しかしながら、上記特許文献１及び２の光ディスク装置においては、各ＶＯＢＵに、自己を中心として、所定の前後の再生時間に位置するＶＯＢＵのアドレスが記録されていなければならない。
【特許文献１】特開２００２−２７１７３１号公報
【特許文献２】特開２００５−２７６４３９号公報
【発明の開示】
【発明が解決しようとする課題】
【０００５】
本発明は、上記従来の問題を解決するためになされたものであり、ＶＯＢＵに、自己を中心として、所定の前後の再生時間に位置するＶＯＢＵのアドレスが記録されていなくても、タイムサーチ時間の箇所を正確にサーチすることができ、品質の向上を図ることができる光ディスク装置を提供することを目的とする。
【課題を解決するための手段】
【０００６】
上記目的を達成するために請求項１の発明は、ＤＶＤ−ＶＩＤＥＯの光ディスクに対してレーザ光を照射してデータの記録／再生を行う光ピックアップと、前記光ピックアップを駆動するレーザ変調信号を出力するレーザ駆動部と、前記光ピックアップのトラッキングサーボ及びフォーカスサーボを行なうサーボ制御部と、プログラムを格納したメモリ部と、前記メモリ部のプログラムに基いて上記各部を制御する制御部と、を備えた光ディスク装置において、前記制御部は、光ディスクから前記ＶＴＳ＿ＴＭＡＰＴ（Ｖｉｄｅｏ  Ｔｉｔｌｅ  Ｓｅｔ  Ｔｉｍｅ  Ｍａｐ  Ｔａｂｌｅ）を読み込むと共に、該ＶＴＳ＿ＴＭＡＰＴからＴＭＵ（Ｔｉｍｅ  Ｕｎｉｔ）を読み込むデータ読み込み手段と、  ユーザが指定したタイムサーチ時間と前記データ読み込み手段より読み込まれたＶＴＳ＿ＴＭＡＰＴ及びＴＭＵとに基いて、光ピックアップの移動先のＶＯＢＵ（Ｖｉｄｅｏ  Ｏｂｊｅｃｔ  Ｕｎｉｔ）のアドレスを算出する１次サーチアドレス算出手段と、  前記１次サーチアドレス算出手段により算出されたＶＯＢＵのアドレスの属するセルに光ピックアップを移動させ、該セルに記録されている、ビデオタイトルの先頭から該セルの先頭までのセル時間を読み取ると共に、該ＶＯＢＵのアドレスに光ピックアップを移動させ、該ＶＯＢＵが有するＮａｖｉ  Ｐａｃｋに記録されている、該セルの先頭から該ＶＯＢＵまでのＶＯＢＵ時間と、該ＶＯＢＵの再生時間とを読み取るＶＯＢＵ読み込み手段と、前記ＶＯＢＵ読み込み手段により読み込んだ、前記セル時間とＶＯＢＵ時間とＶＯＢＵの再生時間とに基いて、ビデオタイトルの先頭からのＶＯＢＵ再生開始時間と、ビデオタイトルの先頭からのＶＯＢＵ再生終了時間とを算出し、前記ＶＯＢＵ再生開始時間とＶＯＢＵ再生終了時間との間のＶＯＢＵ再生時間帯と前記タイムサーチ時間とを比較するタイムサーチ時間比較手段と、前記タイムサーチ時間比較手段により、前記タイムサーチ時間が該ＶＯＢＵ再生時間帯に属するか否かを判断するＶＯＢＵ判断手段と、前記ＶＯＢＵ判断手段により、前記タイムサーチ時間が前記ＶＯＢＵ再生時間帯に属さないと判断されたときには、前記Ｎａｖｉ  Ｐａｃｋが有するＶＯＢＵ＿ＳＲＩ（Ｖｉｄｅｏ  Ｏｂｊｅｃｔ  Ｕｎｉｔ  Ｓｅａｒｃｈ  Ｉｎｆｏｍａｔｉｏｎ）に基き、前記光ピックアップの移動先のＶＯＢＵのアドレスを再度算出する２次サーチアドレス算出手段と、前記２次サーチアドレス算出手段により算出されたＶＯＢＵアドレスに前記光ピックアップを移動させる光ピックアップ移動手段と、を備え、前記タイムサーチ時間が属する再生時間帯を有するＶＯＢＵをサーチすることにより、光ピックアップを該タイムサーチ時間に正確に移動させるようにしたものである。
【０００７】
請求項２の発明は、ＤＶＤ−ＶＩＤＥＯの光ディスクに対してレーザ光を照射してデータの記録／再生を行う光ピックアップと、前記光ピックアップを駆動するレーザ変調信号を出力するレーザ駆動部と、前記光ピックアップのトラッキングサーボ及びフォーカスサーボを行なうサーボ制御部と、プログラムを格納したメモリ部と、前記メモリ部のプログラムに基いて上記各部を制御する制御部と、を備えた光ディスク装置において、前記制御部は、ユーザが指定したタイムサーチ時間と、光ディスクのＶＯＢＵ（Ｖｉｄｅｏ  Ｏｂｊｅｃｔ  Ｕｎｉｔ）のＮａｖｉ  Ｐａｃｋが有するＶＯＢＵ＿ＳＲＩ（Ｖｉｄｅｏ  Ｏｂｊｅｃｔ  Ｕｎｉｔ  Ｓｅａｒｃｈ  Ｉｎｆｏｍａｔｉｏｎ）に基き、前記光ピックアップの移動先のＶＯＢＵのアドレスを算出するサーチアドレス算出手段と、前記サーチアドレス算出手段により算出されたＶＯＢＵのアドレスの属するセルに光ピックアップを移動させ、該セルに記録されている、ビデオタイトルの先頭から該セルの先頭までのセル時間を読み取ると共に、該ＶＯＢＵのアドレスに光ピックアップを移動させ、該ＶＯＢＵが有するＮａｖｉ  Ｐａｃｋに記録されている、該セルの先頭から該ＶＯＢＵまでのＶＯＢＵ時間と、該ＶＯＢＵの再生時間とを読み取るＶＯＢＵ読み込み手段と、前記ＶＯＢＵ読み込み手段により読み込んだ、前記セル時間とＶＯＢＵ時間とＶＯＢＵの再生時間とに基いて、ビデオタイトルの先頭からのＶＯＢＵ再生開始時間と、ビデオタイトルの先頭からＶＯＢＵ再生終了時間とを算出し、前記ＶＯＢＵ再生開始時間とＶＯＢＵ再生終了時間との間のＶＯＢＵ再生時間帯と前記タイムサーチ時間とを比較するタイムサーチ時間比較手段と、前記タイムサーチ時間比較手段により、前記タイムサーチ時間が該ＶＯＢＵ再生時間帯に属するか否かを判断するＶＯＢＵ判断手段と、を備え前記タイムサーチ時間が属する再生時間帯を有するＶＯＢＵをサーチすることにより、光ピックアップを該タイムサーチ時間に正確に移動させるようにしたものである。
【０００８】
請求項３の発明は、請求項２に記載の光ディスク装置において、前記サーチアドレス算出手段は、タイムサーチがスタートして最初に行なう光ピックアップの移動先のＶＯＢＵのアドレスの算出において、ユーザが指定したタイムサーチ時間とビデオタイトルの先頭のＶＯＢＵの有するＶＯＢＵ＿ＳＲＩに基いて行なうものである。
【発明の効果】
【０００９】
請求項１の発明によれば、タイムサーチ時間が、サーチしたＶＯＢＵの再生時間帯に属するか否かを判断し、タイムサーチ時間がＶＯＢＵの再生時間帯に属さないと判断したときには、光ピックアップの次の移動先のＶＯＢＵのアドレスを再度算出するので、光ピックアップをタイムサーチ時間に正確に移動させることができる。また、最初にユーザが指定したタイムサーチ時間と、ＶＴＳ＿ＴＭＡＰＴ及びＴＭＵとに基いて、光ピックアップの移動先のＶＯＢＵのアドレスを算出するので、光ピックアップをタイムサーチ時間に早く移動させることができる。
【００１０】
請求項２の発明によれば、タイムサーチ時間がサーチしたＶＯＢＵの再生時間帯に属するか否かを判断し、タイムサーチ時間がＶＯＢＵの再生時間帯に属さないと判断したときには、光ピックアップの移動先のＶＯＢＵのアドレスを再度算出するので、光ピックアップをタイムサーチ時間に正確に移動させることができる。
【００１１】
請求項３の発明によれば、タイムサーチがスタートして最初に行なう光ピックアップの移動先のＶＯＢＵのアドレスの算出を、ビデオタイトルの先頭のＶＯＢＵの有するＶＯＢＵ＿ＳＲＩに基いて行なうので、タイムサーチのプログラムを簡単にすることができる。
【発明を実施するための最良の形態】
【００１２】
本発明の実施形態に係る光ディスク装置について図１を参照して説明する。図１は、光ディスク装置の構成を示す。光ディスク装置１は、ターンテーブルに装填された光ディスク２を回転させるスピンドルモータ３と、光ディスク２に対してレーザ光を照射してデータの記録／再生を行う光ピックアップ４と、光ピックアップ４を駆動するため、レーザ変調信号を光ピックアップ４に対して送信するレーザ駆動部５と、光ピックアップ４を光ディスク２の径方向に移動させるスレッドモータ６と、光ピックアップ４のトラッキングサーボ及びフォーカスサーボを行なうサーボ制御部７と、上記各部を制御する制御部１１とを備える。また、制御部１１には、プログラムやデータを記憶するメモリ部８と、映像や音声等のデータが入力される信号入力部９と、光ディスク２の再生データを出力する信号出力部１０と、ユーザが制御部１１へ指示を行なうために操作する操作部１２とが接続されている。このように構成された光ディスク装置１は、例えば、ＤＶＤレコーダ又はパソコンに搭載されるＤＶＤドライブである。
【００１３】
光ピックアップ４は、光ディスク２に対してレーザ光を出射する半導体レーザダイオード（不図示）と、該レーザ光の光ディスク２での反射光を受光して電気信号を生成する受光素子（不図示）とを備える。この半導体レーザダイオードが光ディスク２に対して高パワーのレーザ光を照射することにより、データが記録される。また、受光素子が、光ディスク２での反射光に基いて生成した電気信号すなわち再生信号を制御部１１に送出することにより、光ディスク２のデータが再生される。
【００１４】
次に、光ディスク２について、図２乃至図４を参照して説明する。図２は、光ディスク２の構造を示し、図３は、光ディスク２に記録されているＶＯＢＵ＿ＳＲＩの構造を示し、図４は、再生時間と、光ディスク２に記されるＭＥＰ＿ＥＮ番号の関係を示す。光ディスク２は、映画のような一連のＡＶ信号よりなるビデオタイトル２１を備えており、ビデオタイトル２１は、数秒間乃至数分間のＡＶ信号に相当する複数のセル２２を備えている。また、セル２２は、ＡＶ信号の最小単位である複数のＶＯＢＵ２３を備えおり、ＶＯＢＵ２３の時間は規格により０．４秒から１秒の間に決められている（図２参照）。各セル２２には、ビデオタイトル２１の先頭からの時間（以下、セル時間という）Ｔｃが記録されている。ＶＯＢＵ２３は、Ｎａｖｉ  Ｐａｃｋ２４を備えており、Ｎａｖｉ  Ｐａｃｋ２４には、セル２２の先頭からＶＯＢＵ２３の先頭までの時間（以下、ＶＯＢＵ時間という）Ｔｖ１やＶＯＢＵ２３の再生時間Ｔｖ２が記録されている。また、Ｎａｖｉ  Ｐａｃｋ２４が備えているＶＯＢＵ＿ＳＲＩ（ＶＯＢＵ  ＳＥＡＲＣＨ  ＩＮＦＯＭＡＴＩＯＮ）２５には、ＶＯＢＵ２３の前後の複数のＶＯＢＵ２３のアドレスが、並んでいる順番と共に記録されている（図３参照）。また、光ディスク２には、光ディスク２毎に決められたＴＭＵの間隔で、ビデオタイトル２１の先頭からＭＡＰ＿ＥＮ番号が順に記されている。ＴＭＵは、光ディスクが備えているＶＴＳ＿ＴＭＡＰＴに、各ＶＯＢＵ２３のアドレス等のデータと共に記録されている（図４参照）。
【００１５】
次に、上記のように構成された本実施形態に係る光ディスク装置１の動作ついて図５を参照して説明する。図５は、タイムサーチのフローを示す。制御部１１は、操作部１２によりタイムサーチ時間（Ｔｓ）が入力され、タイムサーチ処理がスタートすると、光ディスク２からＶＴＳ＿ＴＭＡＰＴとＴＭＵの時間（Ｔｕ）を読み込む（Ｓ１、Ｓ２）。ステップＳ１及びＳ２は、データ読み込み手段を構成する。
【００１６】
続いて、タイムサーチ時間（Ｔｓ）をＴＭＵで除算して、タイムサーチ時間よりビデオタイトルの先頭側に位置するＭＡＰ＿ＥＮ番号を求める。次式の商の整数部分がＭＡＰ＿ＥＮ番号になる。
ＭＡＰ＿ＥＮ番号＝（Ｔｓ÷Ｔｕ）の整数部分
例えば、タイムサーチ時間が５秒でＴＭＵが２秒なら、５÷２＝２．５となり、ＭＡＰ＿ＥＮ番号は２となる。続いて、ＭＡＰ＿ＥＮ番号に対応するＶＯＢＵ２３のアドレスをＶＴＳ＿ＴＭＡＰＴから読み取り、該ＶＯＢＵの属するセルに移動する（Ｓ３）。ステップＳ３は、１次サーチアドレス算出手段を構成する。
【００１７】
移動したセル２２からセル時間Ｔｃを読み取ると共に、該アドレスのＶＯＢＵ２３のＮａｖｉ  Ｐａｃｋ２４からＶＯＢＵ時間Ｔｖ１とＶＯＢＵの再生時間Ｔｖ２とを読み取る（Ｓ４）。ステップＳ４は、ＶＯＢＵ読み込み手段を構成する。
【００１８】
読み取ったデータからビデオタイトルの先頭からＶＯＢＵの先頭までの時間（以下、ＶＯＢＵ再生開始時間という）Ｔｖ３と、ビデオタイトルの先頭からＶＯＢＵの終了までの時間（以下、ＶＯＢＵ再生終了時間という）Ｔｖ４を算出する。
Ｔｖ３＝Ｔｃ＋Ｔｖ１
Ｔｖ４＝Ｔｃ＋Ｔｖ１＋Ｔｖ２
そして、タイムサーチ時間ＴｓがＶＯＢＵ再生開始時間からＶＯＢＵ再生終了時間までの時間帯（以下、ＶＯＢＵ再生時間帯という）に属するかを次式により判断する（Ｓ５）。
Ｔｖ３＜Ｔｓ＜Ｔｖ４
ステップＳ５は、タイムサーチ時間比較手段を構成する。
【００１９】
タイムサーチ時間がＶＯＢＵ再生時間帯に属するときは、そのＶＯＢＵ２３のタイムサーチ時間（Ｔｓ）に対応する箇所から再生を行なう（Ｓ６、Ｓ８）。ステップＳ６は、ＶＯＢＵ判断手段を構成する。
【００２０】
タイムサーチ時間がＶＯＢＵ再生時間帯に属さないときは、タイムサーチ時間（Ｔｓ）とＶＯＢＵ再生終了時間Ｔｖ４との差の時間をＶＯＢＵ２３の最大時間である１秒により除算し、現在のＶＯＢＵ２３からタイムサーチ時間（Ｔｓ）までにあるＶＯＢＵ２３の最少の個数Ｍを算出する。
Ｍ＝（Ｔｓ−Ｔｖ４）÷１（秒）
現在のＶＯＢＵ２３とタイムサーチ時間（Ｔｓ）との間に最少でＭ個のＶＯＢＵ２３があるとき、現在のＶＯＢＵ２３から（Ｍ＋１）個先のＶＯＢＵ２３のアドレスをＶＯＢＵ＿ＳＲＩより読み取り、また、Ｍが１未満のときは、次のＶＯＢＵ２３のアドレスをＶＯＢＵ＿ＳＲＩより読み取り、読み取ったアドレスをサーチする（Ｓ７）。ステップＳ７は、２次サーチアドレス算出手段及びサーチアドレス算出手段を構成する。
【００２１】
続いて、サーチしたアドレスのＶＯＢＵ２３のＶＯＢＵ再生時間帯にタイムサーチ時間が属するかを上述した方法により判断する（Ｓ５、Ｓ６）。タイムサーチ時間が該ＶＯＢＵ２３のＶＯＢＵ再生時間帯に属するときには、該ＶＯＢＵ２３のタイムサーチ時間（Ｔｓ）に対応する箇所から再生を行なう（Ｓ８）。タイムサーチ時間が該ＶＯＢＵ２３のＶＯＢＵ再生時間帯に属さないときは、ＶＯＢＵ２３を１個づつ順に、タイムサーチ時間がＶＯＢＵ再生時間帯に属するかを判断していき（Ｓ７、Ｓ５、Ｓ６）、タイムサーチ時間が属するＶＯＢＵ再生時間帯を有するＶＯＢＵ２３に到達するとタイムサーチ時間（Ｔｓ）に対応する箇所から再生を行なう（Ｓ８）。
【００２２】
上述した方法により、タイムサーチ時間（Ｔｓ）が属するＶＯＢＵ２３のサーチを行なうので、タイムサーチ時間の箇所を正確にサーチすることができ、光ディスク装置１の品質の向上を図ることができる。また、最初にユーザが指定したタイムサーチ時間と、ＶＴＳ＿ＴＭＡＰＴ及びＴＭＵとに基いて、光ピックアップの移動先のＶＯＢＵのアドレスを算出するので、光ピックアップ４をタイムサーチ時間に早く移動させることができる。
【００２３】
なお、本発明は、上記各種実施形態の構成に限られず、発明の趣旨を変更しない範囲で種々の変形が可能である。例えば、タイムサーチ処理がスタートすると、最初にビデオタイトル２１の先頭のＶＯＢＵ２３に光ピックアップ４を移動させ、そのＶＯＢＵ２３の有するＶＯＢＵ＿ＳＲＩ２５とタイムサーチ時間とに基いて、光ピックアップ４の移動先のＶＯＢＵ２３のアドレスを算出してもよい。光ピックアップ４の最初の移動先を決められているので、タイムサーチのプログラムを簡単にすることができる。
【図面の簡単な説明】
【００２４】
【図１】本発明の実施形態に係る光ディスク装置を示す図。
【図２】光ディスクの構造図。
【図３】ＶＯＢＵ＿ＳＲＩの構造図。
【図４】再生時間とＭＥＰ＿ＥＮ番号の関係を示す図。
【図５】同上装置におけるタイムサーチのフローチャート。
【符号の説明】
【００２５】
１  光ディスク装置
４  光ピックアップ
５  レーザ駆動部
７  サーボ制御部
８  メモリ部
１１  制御部
２１  ビデオタイトル
２２  セル
２３  ＶＯＢＵ
２４  Ｎａｖｉ  Ｐａｃｋ
２５  ＶＯＢＵ＿ＳＲＩ
【図１】
2008108372.tif 000003
【図２】
2008108372.tif 000004
【図３】
2008108372.tif 000005
【図４】
2008108372.tif 000006
【図５】
2008108372.tif 000007